【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
可視光の波長の１／２波長の整数倍程度の周期間隔とされる規則的な微細構造を有した微細構造体を備え、且つ該微細構造における周期間隔と該微細構造に照射される光線束が透過する部材の屈折率との積によって表される光学的距離が可変とされる回折格子構造体が表面に組み込まれた筐体を有し、
前記回折格子構造体の前記微細構造における周期間隔、又は、光線束が透過する部材の屈折率を電気的に可変制御することにより回折格子構造体の構造色又は反射特性を変化させる回折格子駆動手段と、
入力手段と、
前記入力手段により入力された情報に基づいて前記筐体の外装色、光沢、若しくは、模様を決定し、前記回折格子駆動手段に対応する駆動信号を出力する制御手段と、を備えることを特徴とする電気機器。
【請求項２】
前記微細構造体が有する微細構造は、開口、凹凸、突起、孔、溝、格子のうちいずれかが規則的に配列されたものであり、前記回折格子駆動手段によって前記微細構造体が長さ方向に伸張／収縮、若しくは、厚み方向に湾曲させられることにより、前記微細構造における周期間隔を変化させて前記光学的距離が可変とされることを特徴とする請求項１に記載の電気機器。
【請求項３】
前記回折格子構造体は、電極層と、該電極層上に積層された固体電解質層と、固体電解質層上に積層され導電性高分子膜によって形成された前記微細構造体と、から形成された導電性高分子アクチュエータとされることを特徴とする請求項１又は請求項２に記載の電気機器。
【請求項４】
前記回折格子構造体は、２枚の電極層の間に含水したイオン伝導性高分子膜が密封されて形成されたイオン伝導性高分子アクチュエータと、該イオン伝導性高分子アクチュエータの表面に積層された前記微細構造体と、を備えることを特徴とする請求項１又は請求項２に記載の電気機器。
【請求項５】
前記回折格子構造体は、重ねて配置される複数の前記微細構造体と、該複数の微細構造体の内で少なくとも１つの微細構造体と連結され、少なくとも１つの微細構造体を他の微細構造体に対して位置移動、回転移動、傾斜回転等の動作をさせて前記微細構造における周期間隔を可変とする圧電アクチュエータと、を備えることを特徴とする請求項１又は請求項２に記載の電気機器。
【請求項６】
前記回折格子構造体は、中空の封止容器と、該封止容器に注入された溶媒と、該溶媒内に封入された前記微細構造体と、を備え、
該微細構造体は、微細粒子が多数凝集された３次元規則的配列構造である前記微細構造を感熱性高分子ゲルによって略固定することによって形成され、
前記封止容器の外面には前記回折格子駆動手段に制御される熱源が取付けられ、
前記熱源から前記微細構造体に熱が伝熱されることによって前記感熱性高分子ゲルが膨潤及び収縮し、前記微細構造の周期間隔が変化することにより前記光学的距離が可変とされることを特徴とする請求項１に記載の電気機器。
【請求項７】
前記感熱性高分子ゲルは、ＰＤＭＳゲル、ＰＶＭＥゲル、ポリＮ−置換アクリルアミドのゲル、メチルセルロースゲル、ポリ酢酸ビニルゲル、ハイドロゲルのいずれかが用いられることを特徴とする請求項６に記載の電気機器。
【請求項８】
前記熱源は、ペルチェ素子とされることを特徴とする請求項６又は請求項７に記載の電気機器。
【請求項９】
前記回折格子構造体は、中空の封止容器と、該封止容器に注入された溶媒と、該溶媒内に封入された前記微細構造体と、を備え、
前記封止容器は、底板と、該底板上に配置され側面を封止する封止材と、上方を封止する透明な上板と、から形成され、
前記底板及び上板と前記封止材との間には透明電極が配置され、前記底板上に配置された透明電極上にはゲル・電極複合体が積層され、前記微細構造体が該ゲル・電極複合体に接触するように配置され、
前記微細構造体は、電場応答性高分子ゲルによって形成され、多数の凹凸、若しくは、孔、細孔が配列された３次元規則的配列形状の前記微細構造を有し、
前記回折格子駆動手段によって前記透明電極に電圧が印加されることにより、前記電場応答性高分子ゲルが膨潤及び収縮し、前記微細構造の周期間隔が変化することにより前記光学的距離が可変とされることを特徴とする請求項１に記載の電気機器。
【請求項１０】
前記電場応答性高分子ゲルは、ＰＡＭＰＳゲル、ＡＭＰＳとＡＡｍの共重合体ゲル、ＰＶＡ−ＰＡＡゲル、ポリメタクリル酸ゲル、ＰＶＡ−ＡＡゲル、ポリメタクリル酸ゲル、ＰＳＳゲル、ＡＡｍ−ＡＡ共重合体ゲル、フッ素系高分子ゲル、ハイドロゲルのいずれかが用いられることを特徴とする請求項９に記載の電気機器。
【請求項１１】
前記回折格子構造体は、中空の封止容器と、該封止容器に注入された溶媒と、該溶媒内に封入された前記微細構造体と、を備え、
前記封止容器は、底板と、該底板上に配置され側面を封止する封止材と、上方を封止する透明な上板と、から形成され、
前記底板及び上板と前記封止材との間には透明電極及び配向板が順に配置され、
前記溶媒は、液晶とされ、
前記微細構造体は、微細粒子が多数凝集された３次元規則的配列構造体とされる微細構造を有し、
前記回折格子駆動手段によって前記液晶に電圧が印加されることにより前記液晶の屈折率が変化し、前記光学的距離が可変とされることを特徴とする請求項１に記載の電気機器。
【請求項１２】
前記入力手段より情報を入力するための前記筐体の外装色、若しくは、模様の候補を表示する表示手段を更に備えることを特徴とする請求項１に記載の電気機器。
【請求項１３】
前記回折格子駆動手段は、前記回折格子構造体の前記微細構造における表面状態を電気的に可変制御することにより、更に回折格子構造体の素材感を変化させることを特徴とする請求項１に記載の電気機器。
【手続補正２】
【補正対象書類名】明細書
【補正対象項目名】００１９
【補正方法】変更
【補正の内容】
【００１９】
請求項１に記載の発明は、電気機器において、可視光の波長の１／２波長の整数倍程度の周期間隔とされる規則的な微細構造を有した微細構造体を備え、且つ該微細構造における周期間隔と該微細構造に照射される光線束が透過する部材の屈折率との積によって表される光学的距離が可変とされる回折格子構造体が表面に組み込まれた筐体を有し、前記回折格子構造体の前記微細構造における周期間隔、又は、光線束が透過する部材の屈折率を電気的に可変制御することにより回折格子構造体の構造色又は反射特性を変化させる回折格子駆動手段と、入力手段と、前記入力手段により入力された情報に基づいて前記筐体の外装色、光沢、若しくは、模様を決定し、前記回折格子駆動手段に対応する駆動信号を出力する制御手段と、を備えることを特徴とする。
【手続補正３】
【補正対象書類名】明細書
【補正対象項目名】００２０
【補正方法】変更
【補正の内容】
【００２０】
請求項２に記載の発明は、請求項１に記載の電気機器において、前記微細構造体が有する微細構造は、開口、凹凸、突起、孔、溝、格子のうちいずれかが規則的に配列されたものであり、前記回折格子駆動手段によって前記微細構造体が長さ方向に伸張／収縮、若しくは、厚み方向に湾曲させられることにより、前記微細構造における周期間隔を変化させて前記光学的距離が可変とされることを特徴とする。
【手続補正４】
【補正対象書類名】明細書
【補正対象項目名】００２９
【補正方法】変更
【補正の内容】
【００２９】
請求項１１に記載の発明は、請求項１に記載の電気機器において、前記回折格子構造体は、中空の封止容器と、該封止容器に注入された溶媒と、該溶媒内に封入された前記微細構造体と、を備え、前記封止容器は、底板と、該底板上に配置され側面を封止する封止材と、上方を封止する透明な上板と、から形成され、前記底板及び上板と前記封止材との間には透明電極及び配向板が順に配置され、前記溶媒は、液晶とされ、前記微細構造体は、微細粒子が多数凝集された３次元規則的配列構造体とされる微細構造を有し、前記回折格子駆動手段によって前記液晶に電圧が印加されることにより前記液晶の屈折率が変化し、前記光学的距離が可変とされることを特徴とする。
請求項１２に記載の発明は、請求項１に記載の電気機器において、前記入力手段より情報を入力するための前記筐体の外装色、若しくは、模様の候補を表示する表示手段を更に備えることを特徴とする。
請求項１３に記載の発明は、請求項１に記載の電気機器において、前記回折格子駆動手段は、前記回折格子構造体の前記微細構造における表面状態を電気的に可変制御することにより、更に回折格子構造体の素材感を変化させることを特徴とする。